(57)【要約】      （修正有）【課題】ポンプカバー内における制御盤の発熱による温度上昇を低減し、放熱性に優れた給水装置を提供する。【解決手段】架台と、架台を覆うとともに架台との間に収容部を構成するポンプカバーと、収容部に配されるベースフレームと、ベースフレームに搭載される制御機器とを備える制御盤を備え、制御盤はボックス等の筐体内に収容せず、制御盤の搭載面側である前面及び側方が開放されており、制御機器をポンプカバー内の収容室において露出させる。【選択図】図５
2019143493.tif 000002
【特許請求の範囲】
【請求項１】
架台と、
前記架台を覆うとともに前記架台ととともに収容部を構成するポンプカバーと、
前記収容部に配されるベースフレームと、前記ベースフレームに搭載され前記収容部に露出する制御機器と、を備える、制御盤を備える、給水装置。
【請求項２】
前記ベースフレームの、前記制御機器が搭載される搭載部側は、収容部内において開放され、
前記制御機器は前記架台及び前記ポンプカバーによって覆われる、請求項１記載の給水装置。
【請求項３】
、
前記収容部に配されるポンプ装置と、
前記収容部内に配され、前記ポンプ装置に接続される配管と、を備え、
前記ベースフレームは前記収容部内に立設されるバックフレーム部を備え、
前記バックフレーム部は前記制御機器の背面側に配されるとともに正面側が開放され、
前記ポンプ装置と前記配管と前記制御機器の正面側は、前記ポンプカバーによって覆われる、請求項１記載の給水装置。
【請求項４】
前記制御機器は、前記ポンプ装置に設けられるモータを駆動するインバータ、電源入力基板、漏電遮断器、及び制御基板のいずれか１以上を備える、請求項３に記載の給水装置。
【請求項５】
前記ベースフレームは、前記バックフレーム部の搭載面に対して交差する方向に延び、前記制御機器の下側で前記収容部を仕切る、フロアフレーム部を備える、請求項３または請求項４に記載の給水装置。
【請求項６】
前記ベースフレームに、前記制御機器としてインバータが搭載され、
前記ベースフレームと前記インバータの間に、空隙が形成される、請求項１乃至請求項５のいずれかに記載の給水装置。
【発明の詳細な説明】
【技術分野】
【０００１】
本発明は、パッケージ型の給水装置に関する。
【背景技術】
【０００２】
直結給水装置等の給水装置において、例えば、架台と防滴用のポンプカバーとで構成される収容部に、モータを備えるポンプ装置、配管、アキュムレータ、及び制御盤等の構成品が収容されている。例えば、制御盤は、制御ボックスと、制御ボックス内に配される制御機器とを備える。例えば制御機器として、インバータや、インバータを制御する制御回路を有する回路基板が、制御ボックス内に収容される。
【先行技術文献】
【特許文献】
【０００３】
【特許文献１】特開２００１−５０１６８号公報
【発明の概要】
【発明が解決しようとする課題】
【０００４】
上述の給水装置では、収容部内に制御ボックスが配される構成であり、制御ボックス内が温度上昇しやすい。そこで、ポンプカバー内における制御盤の発熱による温度上昇を低減する技術が望まれている。
【０００５】
そこで、本発明は放熱性に優れた給水装置を提供することを目的とする。
【課題を解決するための手段】
【０００６】
実施形態にかかる給水装置は、架台と、前記架台を覆うとともに前記架台との間に収容部を構成するポンプカバーと、前記収容部に配されるベースフレームと、前記ベースフレームに搭載される制御機器と、を備える、制御盤を備える。
【発明の効果】
【０００７】
本発明によれば放熱性に優れた給水装置を提供することができる。
【図面の簡単な説明】
【０００８】
【図１】本発明の一実施形態にかかる給水装置の正面図。
【図２】同給水装置の内部構成を一部断面で示す正面図。
【図３】同給水装置の内部構成を一部断面で示す正面図。
【図４】同給水装置の内部構成を一部断面で示す側面図。
【図５】同給水装置の断面図。
【図６】同給水装置の内部構成を一部断面で示す平面図。
【図７】同給水装置の内部構成を示す平面図。
【図８】同給水装置の内部構成を示す平面図。
【図９】同給水装置の制御盤の正面図。
【図１０】同制御盤のインバータの下面図。
【図１１】同制御盤のベースフレームの正面図。
【図１２】同制御盤のベースフレームの平面図。
【図１３】他の実施形態にかかる給水装置の制御盤のベースフレームの正面図。
【図１４】同ベースフレームの平面図。
【図１５】同ベースフレームの側面図。
【発明を実施するための形態】
【０００９】
以下、本発明の一実施形態にかかる給水装置１０について、図１乃至図１２を参照して説明する。図１は本発明の一実施形態にかかる給水装置１０の外観を示す正面図であり、図２は吸込管を通る断面を正面側から見た説明図、図３は給水装置１０の吐出管を通る断面を正面側、すなわち前方から見た説明図である。図４及び図５は給水装置１０の断面を側方から見た説明図である。図６は給水装置１０の内部構成を上方から見た図である。図７は、図８は給水装置１０の内部を上から見た説明図である。図９は制御盤の正面図、図１０はインバータの下面図、図１１及び図１２はベースフレームの正面図及び平面図である。
【００１０】
図１乃至図１２に示すように、給水装置１０は、架台１１と、ポンプカバー１２と、複数のポンプ装置２０と、配管３０と、逆流防止装置１３と、アキュムレータ１４と、制御盤１５と、を備える。給水装置１０は、架台１１とポンプカバー１２により区画された収容部である収容空間内に、ポンプ装置２０や配管３０、制御盤１５などの構成部品を収納した、パッケージ型の給水装置である。
【００１１】
架台１１は、互いに直交する３方向にそれぞれ沿う、底フレーム１１ａと、後部フレーム１１ｂと、サイドフレーム１１ｃと、仕切りフレーム１１ｄと、を備える。収容部は、ポンプ装置２０が配される仕切りフレーム１１ｄの上側の上部収容室Ａ１と、アキュムレータ１４等が配される仕切りフレーム１１ｄの下側の下部収容室Ａ２と、を有する。
【００１２】
底フレーム１１ａは、矩形の枠状に構成され、サイドフレーム１１ｃの両側面を連結している。サイドフレーム１１ｃの両側面の外側には脚フレーム１１ｋが取付けられている。脚フレーム１１ｋは互いに対向する一対のフレーム部材で構成され、サイドフレーム１１ｃの両側面外側に取り付けられ、締結部材用の孔部を有する。脚フレーム１１ｋは給水装置１０を設置する地上面上に配される。  
後部フレーム１１ｂは矩形の板状に構成されている。後部フレーム１１ｂは、底フレームの後方のフレーム部材上に立設され、上方に延びている。
【００１３】
サイドフレーム１１ｃは、後部フレーム１１ｂの幅方向両端縁から屈曲して前方に延びる。サイドフレーム１１ｃの下部の領域は、仕切りフレーム１１ｄの幅方向両端縁に接続され、一対の脚片を形成する。サイドフレーム１１ｃの内側壁面には、操作方法の説明図や内部ブロック図が貼り付けられ、表示されている。
【００１４】
仕切りフレーム１１ｄは、矩形の板状に構成され、後部フレーム１１ｂの前面の所定位置から前方に延びる。仕切りフレーム１１ｄは、後部フレーム１１ｂと直交する姿勢に配され、収容空間を上下に仕切る。仕切りフレーム１１ｄは、例えば水平に配される。仕切りフレーム１１ｄには、孔部として、吸込口３１ａに接続される吸込用配管３０ａが貫通する吸込連結管孔１１ｅと、吐出口３５ａに接続される吐出用配管３０ｂが貫通する吐出配管孔１１ｆと、逃がし弁部３８の開口である排水口３８ａの直下に位置する排水配管孔１１ｇと、排水配管孔１１ｇの外周に配されるホッパ４１と、アキュムレータ１４を接続する接続配管用の接続配管孔１１ｈと、が形成されている。仕切りフレーム１１ｄは下方に位置する底フレーム１１ａとの間に、所定の高さを有する配管スペースとなる下部収容室Ａ２を形成する。仕切りフレーム１１ｄは、上方に位置する逆流防止装置１３やポンプ装置２０、連結管３２などに結露した水が落下した場合に外部に漏水しない様に受ける、結露水用のトレイとしての機能を有している。
【００１５】
ポンプカバー１２は、前壁部１２ａと、側壁部１２ｂと、上壁部１２ｃと、傾斜壁部１２ｄと、を一体に備える。ポンプカバー１２は、端縁部が架台１１のサイドフレーム１１ｃのねじ部に締結され、支持され、架台１１上に組付けられる。架台１１とポンプカバー１２とは、収容空間を覆い、内部の機器を保護する、防滴機能を有する。
【００１６】
前壁部１２ａはプレート状に構成され、架台１１の上部収容室Ａ１の前方を覆うとともに、下部収容室Ａ２の上部の領域を覆う。前壁部１２ａは、下端縁１２ｇが、架台１１の地上設置面よりも上方であり、底フレーム１１ａの上方に離間した位置に配され、アキュムレータ１４の大部分の前方を覆う。すなわち、前壁部１２ａにより給水制御に必要な内部機器であるアキュムレータ１４を風雨・煤塵より防護しつつ、下部収容室Ａ２の下側の領域は前方が開口している。前壁部１２ａの内面には防音性を高める吸音材１２ｅが貼り付けられている。
【００１７】
また、前壁部１２ａの、逆流防止装置１３の前方に対向する箇所には、透明な材料で構成された窓部１２ｉが形成されている。窓部１２ｉを通して外部から逆流防止装置１３の漏水を視認により確認することが可能になっている。
【００１８】
一対の側壁部１２ｂは、前壁部１２ａの両側縁からそれぞれ屈曲して後方に延びる。側壁部１２ｂは上部収容室Ａ１の側方をそれぞれ覆う。傾斜壁部１２ｄは、前壁部１２ａの上縁から屈曲して後方及び上方に向けて斜めに延びる。傾斜壁部１２ｄには、透明な材料で構成された窓部１２ｆが設けられている。窓部１２ｆを通して外部から内部が視認できる構成である。例えば窓部１２ｆは、制御盤１５の表示部に対向する位置に設けられ、表示部が外方から視認できる。上壁部１２ｃは、傾斜壁部１２ｄの上後方の端縁から連続して屈曲して後方に延びる。上壁部１２ｃの両側縁は両側壁部１２ｂの上端縁に接続されている。上壁部１２ｃは上部収容室Ａ１の上方を覆う。
【００１９】
ポンプ装置２０は、モータ２１と、モータ２１に接続されたインペラを有する１段または複数段のポンプ２３と、を備え、流体を増圧して二次側に圧送する。本実施形態においては一対のポンプ装置２０が縦置きの状態で設置されている。
【００２０】
ポンプ２３は、下端部にポンプ吸込口２３ａを有し、正面部にポンプ吐出口２３ｂを有している。ポンプ吸込口２３ａには配管３０の吸込連結管３２が接続される。ポンプ吐出口２３ｂには各ポンプ２３の吐出側の流路を構成する個別吐出管３４ａが接続される。
【００２１】
各モータ２１はケーブルを介して制御盤１５に接続されている。制御盤１５に設けられる制御部の制御によりモータ２１が駆動され、ポンプ装置２０が運転制御される。
【００２２】
配管３０は、逆流防止装置１３の一次側に配される吸込連結曲管３１と、逆流防止装置１３の二次側に配される吸込連結管３２と、吸込連結管３２から分岐して各ポンプ２３のポンプ吸込口２３ａに至るとともにボール弁３３ｂが内蔵された一対のボール弁部３３と、ポンプ２３のポンプ吐出口２３ｂに接続される複数の個別吐出管３４ａと、複数の個別吐出管３４ａとボール弁部３３と連通する吐出し連結管３４ｂと、吐出し連結管３４ｂと吸込連結管３２を接続するバイパス連結部３６と、を備える。吸込連結管３２と吐出し連結管３４ｂは防振体を介して架台１１の後部フレーム１１ｂに固定された支え１１ｊに固定されている。
【００２３】
吸込連結曲管３１は、一端側に吸込口３１ａを有している。吸込連結曲管３１の吸込口３１ａ近傍にはボール弁３３ｂとストレーナ３７が内蔵されている。吸込連結曲管３１には第１の圧力検出部としての第１圧力センサ１６ａが設けられている。第１圧力センサ１６ａは、吸込連結曲管３１内の圧力、すなわち逆流防止装置１３の一次側の圧力を検出する。吸込連結曲管３１の他端は逆流防止装置１３に接続される。
【００２４】
逆流防止装置１３は、吸込連結曲管３１と吸込連結管３２との間に設けられている。逆流防止装置１３は、第１の逆止弁と、第２の逆止弁と、リテーナと、を備え、流路における液体の流れの方向を一方向に規制する。逆流防止装置１３の下部に逃がし弁部３８が設けられている。
【００２５】
逃がし弁部３８は逆流防止装置１３から下方に延びている。逃がし弁部３８の下方の先端部の排水口３８ａには漏水検知電極３９が設けられている。漏水検知電極３９は、逆流防止装置１３からの漏水を検出する。検出された漏水信号は漏水検知基板６１へ送られる。
【００２６】
吸込連結管３２は、逆流防止装置１３の二次側に接続される。吸込連結管３２は例えば２台のポンプ装置２０の下方において水平に延びている。
【００２７】
一対のボール弁部３３は、一対のポンプ２３のポンプ吸込口２３ａにそれぞれ接続されている。ボール弁部３３は、流路を形成する管部３３ａと、管部３３ａ内に内蔵されたボール弁３３ｂと、ボール弁３３ｂに連結されたステム３３ｃと、を備える。ボール弁部３３は、ボール状の弁体であるボール弁３３ｂが、ステム３３ｃの回動操作により回転することで、管部３３ａ内の流路を開閉する。
【００２８】
個別吐出管３４ａは、その一端がポンプ２３の側壁部に配されるポンプ吐出口２３ｂに接続されている。個別吐出管３４ａは、ポンプ吐出口２３ｂから前方に延び、屈曲して下方に延び、下方に設けられた吐出し連結管３４ｂに接続されている。個別吐出管３４ａ内であってポンプ吐出口に近い所定箇所には、流れ方向を一方向に規制する逆止弁１８が設けられている。また、個別吐出管３４ａの中途部には、個別吐出管３４ａ内の液体の流量を検出する流量検出部である流量センサ１７がそれぞれ設けられている。
【００２９】
吐出し連結管３４ｂは、複数の個別吐出管３４ａに接続されたボール弁部３３の二次側に接続される。吐出し連結管３４ｂは例えば縦置きの２台のポンプ装置２０の下方において水平に延び、吸込連結管３２と並列に配置されている。
【００３０】
吐出し連結曲管３５は、ボール弁３３ｂが内蔵されたボール弁部３３を介して吐出し連結管３４ｂに接続され、一端側に吐出口３５ａを有する。吐出し連結曲管３５は仕切りフレーム１１ｄに形成された吐出配管孔１１ｆを貫通して、蛇口などの給水先に接続される。吐出し連結曲管３５には第２の圧力検出部としての第２圧力センサ１６ｂが設けられている。
【００３１】
第２圧力センサ１６ｂは、吐出し連結曲管３５内の圧力、すなわち各ポンプ２３の吐出圧力を検出する。
【００３２】
吐出し連結管３４ｂの他端側には、圧力を蓄えるためのアキュムレータ１４が接続される。アキュムレータ１４は接続配管１４ａを介して吐出し連結管３４ｂに接続されている。
【００３３】
アキュムレータ１４は、吐出し連結管３４ｂの下方であって、仕切りフレーム１１ｄよりも下側の下部収容室に設けられる。アキュムレータ１４と吐出し連結管３４ｂを接続する接続配管１４ａは、仕切りフレーム１１ｄに形成された接続配管孔１１ｈを通って配されている。本実施形態において、アキュムレータ１４は、例えば１０Ｌ以上の内容量を有し、直径約２３ｃｍ、長さ約３７ｃｍに構成されている。アキュムレータ１４は、中心軸が水平に配設されている。アキュムレータ１４の下側であって装置設置面との間には、配管が配設可能なスペースが形成されている。
【００３４】
バイパス連結部３６は吐出し連結管３４ｂと吸込連結管３２とを連通するバイパス流路を形成している。バイパス連結部３６内の所定箇所には、流れ方向を、吸込側から吐出し側の一方向に規制する逆止弁が設けられている。
【００３５】
第１圧力センサ１６ａ、及び第２圧力センサ１６ｂは、例えばピエゾ効果を利用した半導体式の圧力センサである。圧力センサ１６ａ，１６ｂは、センサーボディの孔部に設けられたダイヤフラムと、ダイヤフラムの上部に設けられた半導体センサと、ダイヤフラム及び半導体センサの間に設けられた液室と、液室に充填された非腐食性液体、例えばシリコンオイルと、を備える。
【００３６】
圧力センサ１６ａ，１６ｂは、配管３０内の圧力を検出し、アナログ電圧出力可能に構成されている。圧力センサ１６ａ，１６ｂは、ダイヤフラムが配管３０内の圧力により変化したときに、液室内のシリコンオイルによって半導体センサに圧力が印加され、当該圧力に応じた半導体センサの歪み量を信号に変換することで、圧力を検出する。圧力センサ１６ａ，１６ｂは、信号線を介して制御盤１５の制御部に接続され、検出した圧力信号を制御部に送る。
【００３７】
流量センサ１７は例えば磁石が設けられた羽根車を備え、磁石に接続されたホールＩＣにて流量検出を行う回転式のセンサである。
【００３８】
図９乃至図１２に示す様に、制御盤１５は、ベースフレーム５１と、ベースフレーム５１の前面に搭載された制御機器５２と、を備える。
【００３９】
ベースフレーム５１は例えば金属板が折曲形成されて断面視Ｌ字状に構成されている。ベースフレーム５１は、収容空間内で起立するバックフレーム部５１ａと、バックフレーム部５１ａの下端部からバックフレーム部５１ａと交差する方向である前方に延びる、フロアフレーム部５１ｂとを有している。
【００４０】
ベースフレーム５１は、前面が制御機器５２を搭載する搭載面を構成する。ベースフレーム５１は、前面に加え、両側方及び上方が開放されている。すなわち、ベースフレーム５１内に、制御機器５２を収容する制御盤１５用のキャビネットは無く、制御機器５２はポンプカバー１２及び架台１１で構成される収容空間内に露出している。言い換えると、ポンプカバー１２及び架台１１が制御盤１５を外部から覆うカバー部材としての機能を有する。
【００４１】
バックフレーム部５１ａは、矩形状であり、架台１１の後部フレーム１１ｂの上部の幅方向片側の所定位置に締結されて支持されている。
【００４２】
バックフレーム部５１ａは、後部フレーム１１ｂの前方に所定距離離間した位置に支持され、収容空間内において立設される。バックフレーム部５１ａには、各種制御機器を支持する締結部材５３を固定する取付孔５１ｃが複数形成されている。これらの取付孔５１ｃに各種の制御機器５２がスペーサ５３ａ及び締結部５３ｂを有する締結部材５３によって締結され，支持される。取付孔５１ｃは、例えば出力に応じてサイズの異なる複数種類のインバータ５４に対応する複数箇所に形成されている。
【００４３】
フロアフレーム部５１ｂは、バックフレーム部５１ａの下縁部に設けられ、バックフレーム部の下縁部から前方に延びる矩形状に構成されている。フロアフレーム部５１ｂは、逆流防止装置１３よりも上方に配される。フロアフレーム部５１ｂは、収容空間内において、制御盤１５に搭載されるインバータ等の制御機器５２と逆流防止装置１３との間を区画し、下方からの飛沫の侵入を防止する。フロアフレーム部５１ｂの所定箇所にはフロアフレーム部５１ｂを厚さ方向に貫通する配線孔５１ｄが複数形成されている。フロアフレーム部５１ｂの所定箇所にはフロアフレーム部５１ｂを厚さ方向に貫通する角型の通風口５１ｅが形成されている。
【００４４】
制御機器５２として、各ポンプに接続される一対のインバータ５４と、主制御基板５５、電源入力基板５６、及び操作・表示基板５７と、各ポンプ装置２０に接続される一対の漏電遮断器５８と、ポンプ装置２０毎に対応して設けられた一対の直流リアクトル５９と、が、バックフレーム部５１ａの前面である搭載領域に、搭載される。また、ベースフレーム５１の搭載面には制御機器５２として、漏水検知基板６１や、拡張基板６２を増設することが可能である。
【００４５】
これらの制御機器５２は、締結部材５３によって取付孔５１ｃに締結されて搭載される。締結部材５３は、ポール状の部材であり制御機器５２とバックフレーム部５１ａとの間の距離を規定するスペーサ５３ａと、ねじ部などの締結部５３ｂと、を備える。スペーサ５３ａは、バックフレーム部５１ａの搭載面から前方に延び、バックフレーム部５１ａの搭載面と直交する方向に起立している。スペーサ５３ａの長さによって制御機器５２の位置前後方向の位置、すなわち搭載面からの距離が、規定される。
【００４６】
バックフレーム部５１ａの前面である搭載領域の、下部中央の領域に、電源入力基板５６が搭載されている。電源入力基板５６の下部の所定領域には電源端子台５６ａやノイズフィルタが設けられている。
【００４７】
主制御基板５５は、電源入力基板５６の上部領域の前方に重ねて、電源入力基板５６に、搭載されている。主制御基板５５は電源端子台５６ａとは重ならない位置であって電源端子台５６ａが露出される位置に配置されている。言い換えると電源入力基板５６の、電源端子台５６ａが配される下部領域は、露出し、電源端子台５６ａよりも上側の所定の上部領域の前方が主制御基板５５によって覆われる。主制御基板５５は、スペーサ５３ａによって位置が規定され、電源入力基板５６よりも前方に配されている。主制御基板５５はインバータ５４を制御する制御回路を有する。
【００４８】
さらに、主制御基板５５の上部領域に重なる所定位置に、操作・表示基板５７が配されている。操作・表示基板５７は、スペーサ５３ａによって位置が規定され、主制御基板５５よりも前方に重ねて配されている。操作・表示基板５７は、ユーザが入力操作を行う操作部と、各種情報を表示する表示部とを備える。電源入力基板５６と、主制御基板５５と、操作・表示基板５７とは、互いに異なる長さのスペーサ５３ａで支持され、その前後方向の設置位置が異なるように、３段階で配置されている。
【００４９】
電源入力基板５６を挟んで左右両側部に、２台のポンプ装置２０にそれぞれ接続される２つのインバータ５４が、それぞれ搭載されている。インバータ５４は、ケーブルによって制御基板５５に接続されている。
【００５０】
インバータ５４は、モータケーブルによってポンプ装置２０のモータ２１に電気的に接続されている。インバータ５４は制御基板５５からの制御信号に応じた所定の周波数を出力することで、ポンプ装置２０のモータ２１を所定の回転速度で回転させる。インバータ５４の下面の一方側に入力端子５４ａが設けられ、他方側に出力端子５４ｂが設けられている。
【００５１】
インバータ５４の裏面にはヒートシンク５４ｃが設けられている。すなわちインバータ５４とバックフレーム部５１ａとの間に放熱用のヒートシンク５４ｃが介在し、インバータ５４はバックフレーム部５１ａの搭載面から所定距離離れた位置に配される。
【００５２】
また、ヒートシンク５４ｃはスペーサ５３ａを介して搭載面に搭載され、ヒートシンク５４ｃの裏側には配線が可能であるとともに空気が通過可能な空隙が形成される。例えばバックフレーム部５１ａとヒートシンク５４ｃとの間は３０ｍｍ程度離間している。他部品とインバータ５４との配線はこのヒートシンク５４ｃの裏側を通って配設される。また空気がこの空隙を通過可能であり、ヒートシンク５４ｃは下部に設けられたファン６３により強制空冷される。
【００５３】
２台のポンプにそれぞれ接続される２つの漏電遮断器５８、及び、２つのインバータ用の力率改善用の直流リアクトル５９は、各インバータ５４の上部の領域にそれぞれ配されている。具体的には、主制御基板５５の両側に漏電遮断器５８が配され、その外側の位置に、直流リアクトル５９がそれぞれ配される。さらに、インバータ５４の上部の領域には、漏水検知基板６１や、拡張基板６２が設けられている。
【００５４】
制御盤１５はボックス型ではなく、制御盤１５の搭載面側である正面側すなわち前方や、側方が開放されており、制御機器５２が露出している。言い換えると、各種の制御機器５２は、バックフレーム部５１ａによって背面側である後方が覆われるとともに、下方に配されるフロアフレーム部５１ｂによって下方が覆われる。
【００５５】
なお、電源入力基板５６、漏電遮断器５８、インバータ５４、主制御基板５５の充電部は、絶縁カバー６０で覆われている。
【００５６】
以上のように構成された給水装置１０では、制御盤１５の前面及び側方が開放されており、制御機器５２がポンプカバー１２内の収容室において露出している。このため、例えばボックス等の筐体内に収容された構成と比べて放熱性が良い。また、制御盤１５のボックス部材と扉を省略することにより、給水装置全体での軽量化と、制御盤１５のコストダウンが可能となる。
【００５７】
すなわち、上記制御盤１５の構成によれば、インバータ５４のヒートシンク５４ｃをバックフレーム部５１ａの搭載面にスペーサ５３を介して搭載しているため、軸流ファン６３が吸入する冷気の流路を確保でき、冷却効率の低下が抑制できる。また、インバータ５４の電源部と出力部での発熱は、ポンプカバーと架台で構成される半密閉空間に放散されるため、主制御基板５５への熱影響が抑制される。
【００５８】
上記制御盤１５においては、バックフレーム部５１ａの中央に、主制御基板５５と操作・表示基板５７、電源入力基板５６を配置し、その左右に、ポンプ個別の漏電遮断器５８とインバータ５４を配置して左右対称の配置とした。さらに、インバータ５４下部のヒートシンク５４ｃの裏面に、配線可能な空間を設けたため、漏電遮断器５８の２次側から、インバータ５４の下端に配置された入力端子５４ａへ接続されるケーブルや、直流リアクトル５９とインバータ５４との接続コードなど、電力系統の配線作業が容易となる。
【００５９】
すなわち、インバータ５４の端子は下端部に位置し、上方に、直流リアクトルと漏電遮断器とが隣接して配置されているが、ヒートシンク５４ｃの裏側に配線を通して接続することで、他の部品と干渉しない配線ルートを確保することが可能となる。すなわち、インバータ５４の下端左側の入力端子と漏電遮断器５８の２次側端子との接続や、インバータ５４の下端中央の出力端子とモータ２１の端子台との接続や、インバータ５４の下端右側の接続端子と直流リアクトル５９との接続が容易となる。
【００６０】
また、インバータ５４の軸流ファン６３は、逆流防止装置１３により冷却された空気を、フロアフレーム部５１ｂに設けられた角型の通風口５１ｅを通して吸気し、さらに、ヒートシンク５４ｃの裏側にある空隙を通過するため、ヒートシンク５４ｃを通過する気流の流速の低下を防止でき、ファン６３による空冷の効果を向上できる。
【００６１】
また給水装置１０は制御盤１５の電源端子台５６ａを有する電源入力基板５６が、制御盤１５における下部の領域に配置されているため、現地においてユーザが電源入力する等の電気配線が容易となる。
【００６２】
２台のインバータ５４とモータ２１とを接続するケーブルや、２つの圧力センサと２つの流量センサを接続するコードは、フロアフレーム部５１ｂに設けられた配線孔５１ｄを通して配線することができるため、配線作業性が良い。
【００６３】
また、制御盤１５はフロアフレーム部５１ｂを備えるため、逆流防止装置１３の点検時に、圧力水が飛散したとしても、制御盤１５の下部に飛沫が侵入することが防止でき、インバータ５４の焼損を防ぐことができる。
【００６４】
さらに、フロアフレーム部５１ｂには配線用の孔が形成されていることにより、運転・故障信号などの配線の作業性が良い。
【００６５】
また、ベースフレーム５１にスペーサ５３ａを有するロッド状の締結部材５３を設けることにより、制御機器５２を段違いに位置決めして配設することが容易である。また、ベースフレーム５１には、予め搭載可能性のある各種の機器に対応する取付孔５１ｃを形成し、あるいは複数の出力に対応する複数種類のインバータ５４に対応する締結部材５３を設置可能に構成したことにより、ポンプ性能に応じたインバータ５４を選択できる。また、取付孔５１ｃにより、必要に応じて、拡張基板や漏水検知基板、等の各種基板や部品を容易に搭載できる。
【００６６】
また、アキュムレータ１４は仕切りフレーム１１ｄよりも下側に配置し、その下側に開放された空間を形成したことにより、各種配管を配設し、あるいはメンテナンスする際の作業性が良い。また、アキュムレータ１４をポンプ装置２０の下方に位置させ、発熱量の大きいインバータや制御基板を有する制御盤１５のためのスペースを大きくすることで、放熱性に優れた配置を実現できる。
【００６７】
なお、本発明は、上記実施形態に限定されるものではなく、実施段階ではその要旨を逸脱しない範囲で種々に変形することが可能である。
【００６８】
例えば、上記実施形態においてバックフレーム部５１ａは鋼板製のプレート部材を締結してＬ字状に構成したが、これに限られるものではない。アッパーフレーム部をバックフレーム部５１ａの上縁部に設け、屋外でのメンテナンス時にポンプカバー１２を取り外した場合に、雨滴が主制御基板５５や電源入力基板５６に付着するのを防止するようにしても良い。
【００６９】
さらに、他の実施形態として図１３乃至図１５に示すように、バックフレーム部５１ａを樹脂成形品としてもよい。図１３は、他の実施形態にかかる給水装置の制御盤のベースフレームの正面図であり、図１４及び図１５は、同ベースフレームの平面図及び側面図である。
この場合、電源入力基板５６や主制御基板５５を支えるスペーサ５３ａが不要となり、組立性が良い。また、締結部材５３としてタッピンねじを使用することで、漏電遮断器５８やリアクトル、インバータを取り付けるねじ穴の加工が不要となり、製造コストの低減が可能となり、軽量化できる
また、フロアフレーム部５１ｂも、樹脂成形品として、樹脂製のバックフレーム部５１ａに、直角に組み付けてもよい。
【００７０】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００７１】
１０…給水装置、１１…架台、１１ａ…底フレーム、１１ｂ…後部フレーム、１１ｃ…サイドフレーム、１１ｄ…仕切りフレーム、１１ｅ…吸込連結管孔、１１ｆ…吐出配管孔、１１ｇ…排水配管孔、１１ｈ…接続配管孔、１１ｊ…支え、１１ｋ…脚フレーム、１２…ポンプカバー、１２ａ…前壁部、１２ｂ…側壁部、１２ｃ…上壁部、１２ｄ…傾斜壁部、１２ｅ…吸音材、１２ｆ…窓部、１２ｇ…下端縁、１２ｉ…窓部、１３…逆流防止装置、１４…アキュムレータ、１４ａ…接続配管、１５…制御盤、１６ａ…圧力センサ、１６ｂ…圧力センサ、１７…流量センサ、１８…逆止弁、２０…ポンプ装置、２１…モータ、２３…ポンプ、２３ａ…ポンプ吸込口、２３ｂ…ポンプ吐出口、３０…配管、３０ａ…吸込用配管、３０ｂ…吐出用配管、３１…吸込連結曲管、３１ａ…吸込口、３２…吸込連結管、３３…ボール弁部、３３ａ…管部、３３ｂ…ボール弁、３３ｃ…ステム、３４ａ…個別吐出管、３４ｂ…吐出し連結管、３５…吐出し連結曲管、３５ａ…吐出口、３６…バイパス連結部、３７…ストレーナ、３８…弁部、３８ａ…排水口、３９…漏水検知電極、４１…ホッパ、５１…ベースフレーム、５１ａ…バックフレーム部、５１ｂ…フロアフレーム部、５１ｃ…取付孔、５１ｄ…配線孔、５１ｅ…通風口、５２…制御機器、５３…締結部材、５３ａ…スペーサ、５３ｂ…締結部、５４…インバータ、５４ａ…入力端子、５４ｂ…出力端子、５４ｃ…ヒートシンク、５５…主制御基板、５６…電源入力基板、５６ａ…電源端子台、５７…操作・表示基板、５８…漏電遮断器、５９…直流リアクトル、６０…絶縁カバー、６１…漏水検知基板、６２…拡張基板、６３…軸流ファン、Ａ１…上部収容室、Ａ２…下部収容室。
【図１】
2019143493.tif 000003
【図２】
2019143493.tif 000004
【図３】
2019143493.tif 000005
【図４】
2019143493.tif 000006
【図５】
2019143493.tif 000007
【図６】
2019143493.tif 000008
【図７】
2019143493.tif 000009
【図８】
2019143493.tif 000010
【図９】
2019143493.tif 000011
【図１０】
2019143493.tif 000012
【図１１】
2019143493.tif 000013
【図１２】
2019143493.tif 000014
【図１３】
2019143493.tif 000015
【図１４】
2019143493.tif 000016
【図１５】
2019143493.tif 000017
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
架台と、
前記架台とともに収容部を構成する、ポンプカバーと、
前記収容部に配されるモータ及びポンプを有するポンプ装置と、
前記収容部に配されるベースフレームと、
前記ベースフレームに搭載され前記モータを駆動するインバータと、前記ベースフレームに搭載される主制御基板と、を含む制御機器と、
を備え、
前記ベースフレームと、前記インバータと、前記主制御基板とが、それぞれ、前記収容部において露出する、給水装置。
【請求項２】
前記ベースフレームの、前記制御機器が搭載される搭載部側は、前記収容部内において開放され、
前記インバータ及び前記主制御基板は前記モータ及び前記ポンプとともに、前記架台及びポンプカバーによって覆われる、請求項１記載の給水装置。
【請求項３】
前記収容部内に配され前記ポンプ装置に接続される配管を備え、
前記ベースフレームは、前記架台に支持され前記収容部内に立設されるバックフレーム部を備え、
前記バックフレーム部は前記制御機器の背面側に配されるとともに正面側が開放され、
前記ポンプ装置と前記配管と前記制御機器の正面側は、前記ポンプカバーによって覆われる請求項１記載の給水装置。
【請求項４】
前記制御機器は、電源入力基板、及び漏電遮断器、のいずれか１以上をさらに備え、各制御機器は、前記バックフレーム部に締結されるとともに、前記収容部において露出する、請求項３に記載の給水装置。
【請求項５】
前記ベースフレームは、前記バックフレーム部の搭載面に対して交差する方向に延び、前記制御機器の下側で前記収容部を仕切る、フロアフレーム部を備える、請求項３または請求項４に記載の給水装置。
【請求項６】
前記ベースフレームと前記インバータの間に、空隙が形成される、請求項１乃至請求項５のいずれかに記載の給水装置。
【請求項７】
前記架台は、前記ポンプ装置の背面側に配される板状の後部フレームと、前記ポンプ装置の側方に配されるサイドフレームと、前記ポンプ装置及び前記制御機器の下方に配されるとともに前記収容部を上下に仕切る板状の仕切りフレームと、前記仕切りフレームの下方に配される底フレームと、を備え、
前記ポンプカバーは、前記ポンプ装置の前方を覆う前壁部と、前記ポンプ装置の側方を覆う側壁部と、前記ポンプ装置の上方を覆う上壁部と、を備えるとともに、前記架台に組付けられ、
前記仕切りフレームと前記上壁部との間に形成される上部収容室に、前記ポンプ装置、前記ベースフレーム、前記インバータ、及び前記主制御基板が配され、
前記仕切りフレームの下側に、アキュムレータが配されるとともに前方が開口する下部収容室が形成される、請求項１乃至６のいずれかに記載の給水装置。
【手続補正２】
【補正対象書類名】明細書
【補正対象項目名】０００６
【補正方法】変更
【補正の内容】
【０００６】
実施形態にかかる給水装置は、架台と、前記架台とともに収容部を構成する、ポンプカバーと、前記収容部に配されるモータ及びポンプを有するポンプ装置と、前記収容部に配されるベースフレームと、前記ベースフレームに搭載され前記モータを駆動するインバータと、前記ベースフレームに搭載される主制御基板と、を含む制御機器と、を備え、前記ベースフレームと、前記インバータと、前記主制御基板とが、それぞれ、前記収容部において露出する。
【手続補正３】
【補正対象書類名】明細書
【補正対象項目名】００７０
【補正方法】変更
【補正の内容】
【００７０】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
以下に、本願出願の当初の特許請求の範囲に記載された発明を付記する。
［１］
架台と、
前記架台を覆うとともに前記架台とともに収容部を構成するポンプカバーと、
前記収容部に配されるベースフレームと、前記ベースフレームに搭載され前記収容部に露出する制御機器と、を備える、制御盤を備える、給水装置。
［２］
前記ベースフレームの、前記制御機器が搭載される搭載部側は、収容部内において開放され、
前記制御機器は前記架台及び前記ポンプカバーによって覆われる、［１］記載の給水装置。
［３］
前記収容部に配されるポンプ装置と、
前記収容部内に配され、前記ポンプ装置に接続される配管と、を備え、
前記ベースフレームは前記収容部内に立設されるバックフレーム部を備え、
前記バックフレーム部は前記制御機器の背面側に配されるとともに正面側が開放され、
前記ポンプ装置と前記配管と前記制御機器の正面側は、前記ポンプカバーによって覆われる、［１］記載の給水装置。
［４］
前記制御機器は、前記ポンプ装置に設けられるモータを駆動するインバータ、電源入力基板、漏電遮断器、及び制御基板のいずれか１以上を備える、［３］に記載の給水装置。
［５］
前記ベースフレームは、前記バックフレーム部の搭載面に対して交差する方向に延び、前記制御機器の下側で前記収容部を仕切る、フロアフレーム部を備える、［３］または［４］に記載の給水装置。
［６］
前記ベースフレームに、前記制御機器としてインバータが搭載され、
前記ベースフレームと前記インバータの間に、空隙が形成される、［１］乃至［５］のいずれかに記載の給水装置。